(57)【特許請求の範囲】
【請求項１】
容器本体から流入する内容物を収容する小径シリンダと、
前記小径シリンダの内部を移動して前記内容物に対するポンプ作動機能を備えた小径ピストンと、
前記小径シリンダからの内容物流出径路を形成する第１の通路部と、
泡生成用のエアを収容する大径シリンダと、
前記大径シリンダの内部を移動して前記エアに対するポンプ作動機能を備えた大径ピストンと、
前記大径シリンダからのエア流出径路を形成する第２の通路部と、
前記第１の通路部から出力される内容物および前記第２の通路部から出力されるエアを混合して、当該内容物を泡状態に設定する泡生成部と、
前記内容物を吐出させる作動モード設定用の操作部材と、
前記操作部材と連動して前記小径ピストンおよび前記大径ピストンを駆動する単一のテコ部材と、を有し、
前記単一のテコ部材は、
回動中心の支点，前記小径ピストンに対する第１の作用点，前記大径ピストンに対する第２の作用点および前記操作部材への操作力が加わる力点対応部を備え、
前記第１の作用点および前記第２の作用点は、
前記支点に対して同じ側に、当該支点から当該第１の作用点までの第１の腕の長さが当該支点から当該第２の作用点までの第２の腕の長さよりも短い態様で設定され、
前記力点対応部は、
前記同じ側で、前記支点に対し前記第１の作用点よりも遠い部分に設定され、
前記操作部材の作動モード設定操作における前記小径ピストンの移動ストロークが前記大径ピストンの移動ストロークよりも小さい、
ことを特徴とする泡吐出式のポンプ機構。
【請求項２】
前記力点対応部は、
前記第２の作用点の真上反対面側の部分に設定されている、
ことを特徴とする請求項１記載の泡吐出式のポンプ機構。
【請求項３】
前記テコ部材は、
前記第１の作用点の部分が前記小径ピストンに回動可能な形で取り付けられて、
前記操作部材の内容物放出操作にともなう回動の際に、前記第２の作用点および前記支点の各部分が当該テコ部材の長手方向に相当する横方向に変位する、
ことを特徴とする請求項１または請求項２記載の泡吐出式のポンプ機構。
【請求項４】
前記大径シリンダは、
その外側に、前記小径シリンダおよび前記泡生成部が取り付けられる平板状部分を備えている、
ことを特徴とする請求項１乃至請求項３のいずれかに記載の泡吐出式のポンプ機構。
【請求項５】
請求項１乃至請求項４のいずれかに記載の泡吐出式のポンプ機構を備え、かつ、内容物を収容した、
ことを特徴とするポンプ式製品。
【発明の詳細な説明】
【技術分野】
【０００１】
本発明は、吐出対象の内容物（原液）にエアを混合した状態の泡状内容物を吐出する泡吐出式のポンプ機構に関する。
【０００２】
特にエア貯留用の大径シリンダおよびこれに対する大径ピストンからなるエア用ポンプ作動部と、内容物貯留用の小径シリンダおよびこれに対する小径ピストンからなる内容物用ポンプ作動部とを分離した別々の空間域に設けて、かつ、この大径ピストンおよび小径ピストンが、内容物吐出用の操作部材と連動するテコ部材の回作動用により駆動される形の、泡吐出式のポンプ機構に関する。
【０００３】
すなわち、操作部材の押圧操作にともない、テコ部材が回動してエア用の大径ピストンおよび内容物用の小径ピストンが作動モードへと駆動される。
【０００４】
ここで、テコ部材は、その回動支点から略同じ方向の側に、腕の長さＬ１の小径ピストン作用点（内容物）と、腕の長さＬ２（＞Ｌ１）の大径ピストン作用点（エア）とを有する形で設定される。
【０００５】
本発明の泡吐出式のポンプ機構は、
このような内容物貯留用シリンダの個別小径化や、操作部材（テコ部材）の操作時の大径ピストンおよび小径ピストンそれぞれの移動ストロークの長短化（エア用大径ピストンの移動ストローク＞内容物用小径ピストンの移動ストローク）などにより、
所定量の泡状内容物の吐出作動に対して相対的に、軽い操作性と、エア供給量（＝大径シリンダの実効横断面積×大径ピストンの移動ストローク）の増大化とを充足することができる。
【０００６】
なお、本明細書においては、ノズルピースの泡状内容物吐出口の側を「前」と記し、これとは反対側を「後」と記す。すなわち各図の右側が「前」で、左側が「後」となる。また、この前後方向を「横」とする。
【背景技術】
【０００７】
従来、内容物貯留用の小径シリンダおよび小径ピストンと、エア貯留用の大径シリンダおよび大径ピストンとを別々に設けた泡吐出式のポンプ機構は、例えば下記の特許文献１で開示されている。
【０００８】
このポンプ機構の場合、内容物貯留用の小径シリンダおよびエア貯留用の大径シリンダはそれぞれの中心軸が略同一となる形で設定されている。すなわち小径シリンダの外側にそれを囲む形で大径シリンダが設定されている。
【０００９】
そして、小径シリンダ内を移動する小径ピストンおよび大径シリンダ内を移動する大径ピストンはともに操作部材で直接駆動される。
【００１０】
【特許文献１】実開平６−５２９４４号公報
【発明の開示】
【発明が解決しようとする課題】
【００１１】
このように、従来の内容物貯留用の小径シリンダおよびエア貯留用の大径シリンダを個々に設けた泡吐出式のポンプ機構では、作動モード設定操作時にそれぞれの内部を移動する小径ピストンおよび大径ピストンがともに操作部材で直接駆動されている。
【００１２】
したがって当然のことながら、作動モード設定操作にともなう、エア対応の大径ピストンおよび内容物対応の小径ピストンの移動ストロークはそれぞれ、操作部材のそれと同じ長さになる。
【００１３】
そしてエア貯留用の大径シリンダの実質的内部空間域は円筒形状の内部空間全体ではなく、内容物貯留用の小径シリンダの回りの環状空間域のみとなっている。
【００１４】
そのため、内容物（原液）とエアとを望ましい割合（例えば内容物１：エア１４）で混合するにはエア用の大径シリンダの実効横断面積を小径シリンダよりも当該割合まで大きくするしかなく、製品全体の大型化抑止との兼ね合いなどの点で製品設計上の制約になるという問題点があった。
【００１５】
また、利用者の操作部材への操作力が、拡大されることなしにそのまま小径ピストンおよび大径ピストンの駆動力として作用するので、吐出量の設定の増加にともない利用者に対しての重い操作感を生じやすいという問題点があった。
【００１６】
そこで本発明では、
(11)エア対応の大径ピストンおよび内容物対応の小径ピストンを、内容物吐出用の操作部材と連動するテコ部材の回作動用により駆動し、
(12)テコ部材を、その回動支点から略同じ方向の側に、腕の長さＬ１の小径ピストン作用点および、腕の長さＬ２（＞Ｌ１）の大径ピストン作用点を有する形、すなわち操作部材（＝テコ部材）の作動モード設定操作にともなう大径ピストンおよび小径ピストンそれぞれの移動ストロークが、「大径ピストンの移動ストローク＞小径ピストンの移動ストローク」となる形に設定し、
(13)操作部材への操作力が拡大されて内容物対応の小径ピストンに伝達されるべく、当該操作力が加わるテコ部材の力点対応部を、上記(12)の小径ピストン作用点よりも大径ピストン作用点の側に設定する、
ようにしている。
【００１７】
これにより、所定量の泡状内容物の吐出作動に対して相対的に、軽い操作性の実現化および、エア供給量（＝大径シリンダの実効横断面積×大径ピストンの移動ストローク）の増大化を図ることを目的とする。
【課題を解決するための手段】
【００１８】
本発明は、以上の課題を次のようにして解決する。
（１）容器本体から流入する内容物を収容する小径シリンダ（例えば後述の小径シリンダ５）と、
前記小径シリンダの内部を移動して前記内容物に対するポンプ作動機能を備えた小径ピストン（例えば後述の小径ピストン本体部３，環状シール部材４）と、
前記小径シリンダからの内容物流出径路を形成する第１の通路部（例えば後述の横筒状部５ｂ，内容物通過用筒状部材９）と、
泡生成用のエアを収容する大径シリンダ（例えば後述の大径シリンダ本体部７，上開口鞘状部８ａ）と、
前記大径シリンダの内部を移動して前記エアに対するポンプ作動機能を備えた大径ピストン（例えば後述の大径ピストン６）と、
前記大径シリンダからのエア流出径路を形成する第２の通路部（例えば後述の横筒状部８ｅ，エア通過用筒状部材１１）と、
前記第１の通路部から出力される内容物および前記第２の通路部から出力されるエアを混合して、当該内容物を泡状態に設定する泡生成部（例えば後述のメッシュ部１３）と、
前記内容物を吐出させる作動モード設定用の操作部材（例えば後述の操作ボタン１）と、
前記操作部材と連動して前記小径ピストンおよび前記大径ピストンを駆動する単一のテコ部材（例えば後述のテコ部材２）と、を有し、
前記単一のテコ部材は、
回動中心の支点（例えば後述の支軸２ｂ），前記小径ピストンに対する第１の作用点（例えば後述の取付け用孔部２ｃ），前記大径ピストンに対する第２の作用点（例えば後述の半球状部２ｆ）および前記操作部材への操作力が加わる力点対応部（例えば後述の上凸状部２ｅ）を備え、
前記第１の作用点および前記第２の作用点は、
前記支点に対して同じ側に、当該支点から当該第１の作用点までの第１の腕の長さ（例えば後述の腕の長さＬ１）が当該支点から当該第２の作用点までの第２の腕の長さ（例えば後述の腕の長さＬ２）よりも短い態様で設定され、
前記力点対応部は、
前記同じ側で、前記支点に対し前記第１の作用点よりも遠い部分に設定され、
前記操作部材の作動モード設定操作における前記小径ピストンの移動ストロークが前記大径ピストンの移動ストロークよりも小さい、
構成態様の泡吐出式ポンプ機構を用いる。
（２）上記（１）において、
前記力点対応部は、
前記第２の作用点の真上反対面側の部分に設定された、
構成態様のものを用いる。
（３）上記（１），（２）において、
前記テコ部材は、
前記第１の作用点の部分が前記小径ピストンに回動可能な形で取り付けられて、
前記操作部材の内容物放出操作にともなう回動の際に、前記第２の作用点および前記支点の各部分が当該テコ部材の長手方向に相当する横方向に変位する、
構成態様のものを用いる。
（４）前記大径シリンダは、
その外側に、前記小径シリンダおよび前記泡生成部が取り付けられる平板状部分を備えた、
構成態様のものを用いる。
【００１９】
本発明は、以上の構成からなる泡ポンプ機構および当該泡ポンプ機構を備えたポンプ式製品を対象としている。
【発明の効果】
【００２０】
本発明は以上の課題解決手段により、
所定量の泡状内容物の吐出作動に対して相対的に、軽い操作性を実現し、かつ、エア供給量（＝大径シリンダの実効横断面積×大径ピストンの移動ストローク）の増大化を図ることができる。
【図面の簡単な説明】
【００２１】
【図１】泡ポンプ機構の、操作ボタンが押圧されていない静止モードの縦断面状態を示す説明図である。
【図２】(a)図１の泡ポンプ機構における容器本体１４，ネジキャップ１５，ハウジング１６などを捨象して、肩カバー体１７の内部を下方からみた静止モード底面状態(b)肩カバー体１７の一部を省略した形の斜視状態をそれぞれ示す説明図である。
【図３】泡ポンプ機構の、操作ボタンが押圧されている途中の作動モードの縦断面状態を示す説明図である。
【図４】図３の泡ポンプ機構における容器本体１４，ネジキャップ１５，ハウジング１６などを捨象して、肩カバー体１７の内部を下方からみた作動モード底面状態を示す説明図である。
【図５】泡ポンプ機構の、操作ボタンがその押圧操作を解除されて静止モード位置に復帰する作動解除モードの縦断面状態を示す説明図である。
【図６】図５の泡ポンプ機構における容器本体１４，ネジキャップ１５，ハウジング１６などを捨象して、肩カバー体１７の内部を下方からみた作動解除モード底面状態を示す説明図である。
【発明を実施するための最良の形態】
【００２２】
図１〜図６を用いて本発明を実施するための最良の形態を説明する。
【００２３】
各図で用いるアルファベット付き参照番号の構成要素（例えば鞘状垂下部１ａ）は原則として、当該参照番号の数字部分の構成要素（例えば操作ボタン１）の一部であることを示している。
【００２４】
図１〜図６において、
１は放出モード設定用の鞘状で押下げタイプの操作ボタン，
１ａは当該操作ボタンの天井面中央部分に形成された円筒状の鞘状垂下部，
１ｂは当該操作ボタンの筒状部前面（図示右側）に形成された縦方向外切欠部，
１ｃは鞘状垂下部１ａの下側前部分（図示右側）に形成された縦方向内切欠部，
１ｄは鞘状垂下部１ａの内側中央部分に形成された前後方向の板状垂下部，
をそれぞれ示している。
【００２５】
また、
２は図示左側の後側部分が縦方向外切欠部１ｂおよび縦方向内切欠部１ｃを介して操作ボタン１の内部に配設され、当該操作ボタンの押下げ操作に連動するテコ部材，
２ａは当該テコ部材の前端側（図示右側）に形成された曲片部，
２ｂは曲片部２ａの両側面に形成された一対の支軸（支点），
２ｃは当該テコ部材の側面中央部分に形成された一対の取付け用孔部，
２ｄは当該テコ部材の後端部分（図示左側）に形成されて、板状垂下部１ｄの両側にそれぞれ一枚ずつ設定された一対の側壁部，
２ｅは板状垂下部１ｄの下端面に当接する態様で側壁部２ｄの間の底面部分に形成された上凸状部，
２ｆは上凸状部２ｅの直下裏側部分に形成された下向きの半球状部，
をそれぞれ示している。
【００２６】
また、
３は操作ボタン１の押下げ操作時にテコ部材２との係合作用により下方向に駆動される内容物放出用の小径ピストン本体部(小径ピストンの構成要素），
３ａは当該小径ピストン本体部の上側部分を構成する縦平板部，
３ｂは縦平板部３ａの両側上端部分に形成されて、取付け用孔部２ｃのそれぞれと回動可能な状態で係合している一対の円柱軸部，
３ｃは縦平板部３ａの両面の幅方向中央部分に全体幅が縦平板部３ａのそれと同じ大きさとなるように形成された一対の直交縦リブ状部，
３ｄは当該小径ピストン本体部の下側部分を構成する鞘状部，
をそれぞれ示している。
【００２７】
また、
４は小径ピストン本体部３の鞘状部３ｄの外周面側に取り付けられた環状シール部材(小径ピストンの構成要素），
４ａはシール作用を呈する上下一対の小径スカート部，
５は次回放出対象内容物を貯留して環状シール部材４の上下方向への移動を案内する小径シリンダ，
５ａは当該小径シリンダに形成された内容物流入用の縦筒状部，
５ｂは当該小径シリンダに形成された内容物流出用の横筒状部，
５ｃは当該小径シリンダの上端部分から上方へ延びる態様の各延伸部（円筒形状の一部）の外周面に、組立て作業時の案内作用を呈するテーパ面の直下方に続く態様で形成されて、後述のプラットホーム部材８の縦孔部８ｇとの係合作用を呈する横方向凹状部，
をそれぞれ示している。
【００２８】
また、
６は操作ボタン１の押下げ操作時にテコ部材２の半球状部２ｆの押圧作用で下方向に駆動されるエア供給用の大径ピストン，
６ａは当該大径ピストンの上端側に形成されて操作ボタン１の鞘状垂下部１ａを保持する環溝状部，
６ｂは環溝状部６ａの内側上面を構成して半球状部２ｆを受ける窪み状部，
６ｃはシール作用を呈する上下一対の大径スカート部，
をそれぞれ示している。
【００２９】
また、
７は泡生成用のエアの貯留空間域を構成して大径ピストン６の上下動を案内する下開口の大径シリンダ本体部（大径シリンダの構成要素），
７ａは当該大径シリンダ本体部の上面中央部分に形成されてその中を大径ピストン６が上下動する大径縦筒状部，
７ｂは当該大径シリンダ本体部の上端側に形成された嵌合用の下向き環溝状部，
をそれぞれ示している。
【００３０】
また、
８は小径シリンダ５および大径シリンダ本体部７それぞれの嵌合保持部や当該大径シリンダに対する底部などを備えて、平面全体の外縁が楕円形状のプラットホーム部材，
８ａは大径シリンダ本体部７と嵌合してその外側および下側に配設された上開口鞘状部（大径シリンダの構成要素），
８ｂは上開口鞘状部８ａの底面中央筒状部の上端側に形成されて後述のエア用吸込弁２０の最下動位置を設定する弁受け部，
８ｃは後述のエア用吸込弁２０の最上動位置を設定する阻止部，
８ｄは下向き環溝状部７ｂとの周知の凹凸嵌合作用により大径シリンダ本体部７と一体化する、上開口鞘状部８ａの上端側部分，
８ｅは上開口鞘状部８ａの外周面上側から連続形成されたエア流出用の横筒状部，
８ｆは上開口鞘状部８ａの前方（図示右側）に形成されてその中を小径ピストン本体部３が上下動する小径縦筒状部，
８ｇは小径縦筒状部８ｆのいわば外側同心円の周方向に複数形成されて、小径シリンダ５の横方向凹状部５ｃが係合する縦孔部，
８ｈは小径縦筒状部８ｆの前方（図示最右側の縦孔部８ｇの右側）に形成されて後述のエア混合用筒状部材１０が取り付けられた開口部，
８ｊは当該プラットホーム部材の、上開口鞘状部８ａ，小径縦筒状部８ｆ，縦孔部８ｇおよび開口部８ｈなどを除いた残り部分からなる、楕円外縁形状の平板部，
をそれぞれ示している。
【００３１】
また、
９は横筒状部５ｂの外周面との周知の凹凸嵌合作用により小径シリンダ５と一体化したＬ字状の内容物通過用筒状部材，
９ａは当該内容物用筒状通路部材の内面に変位可能な態様で形成されて後述の内容物吐出弁１９を受ける横起立片部（弾性片部），
１０はプラットホーム部材８の開口部８ｈに取り付けられて、内容物通過用筒状部材９の上側外周面との周知の凹凸嵌合作用により当該内容物通過用筒状部材と一体化したエア混合用筒状部材，
１０ａは当該エア混合用筒状部材を構成する小径の下側縦筒状部に連続形成されたエア流入用の横筒状部（図２，図４，図６参照），
１０ｂは当該エア混合用筒状部材を構成してプラットホーム部材８の開口部８ｈに入れられた大径の上側縦筒状部，
１０ｃは上側縦筒状部１０ｂの下端部分から外側に連続形成されてプラットホーム部材８の平板部８ｊの下面部分と当接する環状鍔部，
をそれぞれ示している。
【００３２】
また、
１１はプラットホーム部材８の上開口鞘状部８ａの横筒状部８ｅとエア混合用筒状部材１０の横筒状部１０ａとの間に取り付けられたＬ字状のエア通過用筒状部材，
１２はエア混合用筒状部材１０の上側縦筒状部１０ｂの外周面との周知の凹凸嵌合作用により当該エア混合用筒状部材と一体化して、内容物およびエアが混合した泡状内容物を外部空間域に放出するノズルピース，
１２ａは当該ノズルピースの上面部分に形成されてテコ部材２の支軸（支点）２ｂを案内する、断面Ｔ字状の孔部分からなる案内部，
１２ｂは案内部１２ａを構成する一対の起立側部それぞれの内面上端部分に設定されて、一対の支軸（支点）２ｂの各外端部が入り込んだ状態でそれぞれの横方向への移動をガイドする横凹状部，
をそれぞれ示している。
【００３３】
また、
１３はノズルピース１２の入口筒状部分に取り付けられた泡生成用のメッシュ部，
１４は放出対象の内容物を収容した容器本体，
１４ａは当該容器本体の外周面上端部分に形成された環凹状部，
１４ｂは当該容器本体の上面に形成された筒状起立部，
１５は筒状起立部１４ｂに螺子係合しているネジキャップ，
をそれぞれ示している。
【００３４】
また、
１６は筒状起立部１４ｂの上端面とネジキャップ１５の天井面との間に保持され、かつ内周面の一部に、小径シリンダ５の縦筒状部５ａの下端側外周面部分が嵌合している縦筒状のハウジング，
１６ａはテーパ面形状の弁受け部，
１６ｂは当該ハウジングの内側縦筒状部の上端部分の周方向に飛び飛びに複数形成された容器本体減圧防止用の横孔部，
をそれぞれ示している。
【００３５】
また、
１７はプラットホーム部材８の外縁に対応した楕円形状からなって容器本体１４に取り付けられた肩カバー体，
１７ａは当該肩カバー体の下端側内周面部分の周方向に形成されて環凹状部１４ａと嵌合する計四個の凸状部，
１７ｂは当該肩カバー体の内周面の上下方向に形成されてそれぞれの上端部分または（当該上端部分と同じ高さの）中間段部で平板部８ｊの下面縁部分を受けて保持する計十一個の縦リブ状部，
１７ｃは計六個の各縦リブ状部の中間段部，
１７ｄは当該肩カバー体の長軸方向の一方の内周面上側端部に形成されて、プラットホーム部材８の平板部８ｊの上面縁部分を上方から保持する単一凸状部，
をそれぞれ示している。
【００３６】
また、
１８はハウジング１６の弁受け部１６ａに当接する形で配設された内容物用吸込弁（ボール弁），
１９は小径シリンダ５の横筒状部５ｂの出口部分および内容物通過用筒状部材９の横起立片部９ａの間に配設された内容物用吐出弁（ボール弁），
２０はプラットホーム部材８の弁受け部８ｂに当接する形で配設されたエア用吸込弁（ボール弁），
２１はプラットホーム部材８の横筒状部８ｅの出口部分としてのエア通過用筒状部材１１の内部空間域に配設されたエア用吐出弁（ボール弁），
２２はエア供給用の大径ピストン６を上方向に付勢するコイルスプリング，
２３はハウジング１６の下端側縦筒状部の内周面に取り付けられた内容物通過用のチューブ，
をそれぞれ示している。
【００３７】
また、
Ａは小径シリンダ５などにより設定される内容物の貯留空間域，
Ｂは大径シリンダ本体部７などにより設定されるエアの貯留空間域，
Ｃは貯留空間域Ａへの内容物流入径路，
Ｄは貯留空間域Ａからの内容物流出径路，
Ｅは貯留空間域Ｂへのエア流入径路，
Ｆは貯留空間域Ｂからのエア流出径路，
Ｇは容器本体１４の減圧防止用のエア流入径路，
Ｌ１はテコ部材２の支軸（支点）２ｂから小径ピストン本体部３への作用点（取付け用孔部２ｃ，円柱軸部３ｂ）までの腕の長さ，
Ｌ２はテコ部材２の支軸（支点）２ｂから大径ピストン６への作用点（半球状部２ｆ）までの腕の長さ，
をそれぞれ示している。
【００３８】
ここで、操作ボタン１，テコ部材２，小径ピストン本体部３，環状シール部材４，小径シリンダ５，大径ピストン６，大径シリンダ本体部７，プラットホーム部材８，内容物通過用筒状部材９，エア混合用筒状部材１０，エア通過用筒状部材１１，ノズルピース１２，ネジキャップ１５，ハウジング１６，肩カバー体１７および、ディップチューブ２３はそれぞれ、ポリプロピレン，ポリエチレン，ポリアセタール，ナイロン，ポリブチレンテレフタレートなどからなるプラスチック製のものである。
【００３９】
また、メッシュ部１３およびコイルスプリング２２は金属製，プラスチック製のものであり、容器本体１４はプラスチック製，ガラス製のものであり、ボール弁１８〜２１は金属製，プラスチック製，ガラス製のものである。
【００４０】
図示の泡ポンプ機構の基本的特徴は、
(21)内容物の貯留空間域Ａを構成する小径シリンダ５とは別に、泡生成用エアの貯留空間域Ｂを構成する大径シリンダ本体部７，上開口鞘状部８ａを設け、
(22)小径シリンダ５に対する小径ピストン本体部３および大径シリンダ本体部７に対する大径ピストン６を、操作ボタン１と連動するテコ部材２で駆動し、
(23)テコ部材２の、支軸（支点）２ｂから小径ピストン本体部３への作用点（取付け用孔部２ｃ，円柱軸部３ｂ）までの腕の長さＬ１を、当該支軸（支点）から大径ピストン６への作用点（半球状部２ｆ）までの腕の長さＬ２よりも短く設定し、
(24)操作ボタン１の押圧操作に際してその板状垂下部１ｄの下端部分で、テコ部材２の、大径ピストン６への作用点（半球状部２ｆ）の直上部分を駆動する、
ことなどである。
【００４１】
ここで、例えばテコ部材２のＬ２をＬ１の略2.3倍に設定し、かつ大径シリンダ本体部７の横断面積を小径シリンダ５のそれの略6.2倍（横断面の半径を略2.5倍）に設定すると、操作ボタン１の押圧操作時に大径シリンダ本体部７から流出する泡生成用のエア量は、小径シリンダ５から流出する内容物（原液）量の略１４倍となる。
【００４２】
したがって、操作ボタン１へのいわば操作負荷が高い内容物（原液）に対する小径ピストン本体部３を、その作動ストロークが短い形で、テコ部材２の作用により比較的小さな操作力で駆動できるとともに、内容物（原液）およびエアとの所定の混合比を確保することができる。
【００４３】
図１および図２の静止モードにおいては、
(31)大径ピストン６は、コイルスプリング２２の上方向への弾性作用により最上位置に保持され、
(32)テコ部材２は、その半球状部２ｆが大径ピストン６の窪み状部６ｂで持ち上げられて支軸（支点）２ｂを中心に図示時計方向に回動した状態に設定され、
(33)操作ボタン１は、その板状垂下部１ｄの下端部分がテコ部材２の上凸状部２ｅで持ち上げられた状態に設定され、
(34)小径ピストン本体部３およびこれと一体の環状シール部材４は、その円柱軸部３ｂとテコ部材２の取付け用孔部２ｃとの係合作用により最上位置に保持され、
(35)内容物用吸込弁１８およびエア用吸込弁２０は、それぞれの自重作用により閉状態に設定され、
(36)内容物用吐出弁１９は、内容物通過用筒状部材９の横起立片部９ａの内方への弾性力作用により閉状態に設定され、
(37)エア用吐出弁２１は、いわばフリー状態に設定されている。
【００４４】
なお、貯留空間域ＡおよびＢにはそれぞれ、直前の内容物吐出作動終了時の操作ボタン１の静止モードへの復帰にともなう各貯留空間域の負圧化により、容器本体１４の内容物（原液）および外部空間域のエアが流入済みである（図５，図６参照）。
【００４５】
また、フリー状態のエア用吐出弁２１は、内容物通過用筒状部材９やノズルピース１２からの逆流内容物への逆止弁として作用する。
【００４６】
図３および図４の作動モードでは、操作ボタン１を押し下げて、内容物（原液）にエアを混合させた状態の泡状内容物がノズルピース１２から外部空間域に吐出される。
【００４７】
すなわち、操作ボタン１が押し下げられることにより、
(41)テコ部材２の上凸状部２ｅが操作ボタン１の板状垂下部１ｄで下方に駆動され、かつ、その支軸（支点）２ｂがノズルピース１２の横凹状部１２ｂに案内されながら前方に移動して、当該テコ部材の全体は図示の半時計方向に回動し、
(42)テコ部材２の当該回動により、その取付け用孔部２ｃと係合する小径ピストン本体部３およびこれと一体の環状シール部材４、並びにその半球状部２ｆと当接する大径ピストン６がともに下動し、
(43) 小径ピストン本体部３，環状シール部材４および大径ピストン６それぞれの下動により、貯留空間域Ａ，Ｂの各圧力が増加して当該貯留空間域それぞれの内容物用吐出弁１９およびエア用吐出弁２１が確実に開状態へと移行し、かつ、内容物用吸込弁１８およびエア用吸込弁２０はそれまでの閉状態のままに保持され、
(44)貯留空間域Ａの内容物（原液）は内容物用吐出弁１９から流出し（内容物流出径路Ｄ参照）、
(45)貯留空間域Ｂのエアはエア用吐出弁２１から流出し（エア用流出径路Ｆ参照）、
(46)内容物用吐出弁１９から流出した内容物（原液）とエア用吐出弁２１から流出したエアとがメッシュ部１３に流入して泡状内容物が生成され、
(47)この泡状内容物がノズルピース１２を経て外部空間域に吐出される。
【００４８】
この作動モードにおいて、内容物用吐出弁１９は、貯留空間域Ａの圧力増加により図示右方向（前方）への力を受けて、内容物通過用筒状部材９の横起立片部９ａをその内方への弾性力に抗しながら外側へ拡開する形で、前方向（図示右方向）へと移動している。この前方向への移動により内容物用吐出弁１９は開状態に設定される。
【００４９】
作動モードにおける貯留空間域Ａの内容物の流出径路は、矢印Ｄで示すように「内容物用吐出弁１９−内容物通過用筒状部材９−エア混合用筒状部材１０の上側開口部−メッシュ部１３−ノズルピース１２」となる。
【００５０】
また、貯留空間域Ｂのエアの流出径路は、矢印Ｆで示すように「エア用吐出弁２１−エア通過用筒状部材１１−横筒状部１０ａ−内容物通過用筒状部材９の上端側外周面とエア混合用筒状部材１０の下端側内周面とに挟まれた環状空間域−エア混合用筒状部材１０の上側開口部−メッシュ部１３」となる。
【００５１】
図５および図６の作動解除モードでは、操作ボタン１の押下げ操作の解除に基づいて当該操作ボタンが図１，図２の静止モード位置へと復帰し、ノズルピース１２からの泡状内容物の吐出作動を終える。
【００５２】
すなわち、例えば利用者が操作ボタン１の押下げ操作を止めることにより、
(51)大径ピストン６がコイルスプリング２２の弾性復帰作用に基づいて上動し、
(52)この上動に応じて、大径ピストン６の窪み状部６ｂと当接する半球状部２ｆを備えたテコ部材２がその支軸（支点）２ｂを中心にして図示時計方向に回動し、
(53)この回動にともなって、取付け用孔部２ｃと係合する円柱軸部３ｂを備えた小径ピストン本体部３およびこれと一体の環状シール部材４も上動し、
(54)この小径ピストン本体部３，環状シール部材４および大径ピストン６の上動に応じて、貯留空間域Ａ，Ｂはそれぞれの容積が増大して負圧化し、
(55)この貯留空間域Ａ，Ｂの負圧化にともない、内容物用吸込弁１８およびエア用吸込弁２０が開状態へと移行し、かつ、内容物用吐出弁１９およびエア用吐出弁２０が閉状態へと移行し、
(56)この各弁の開閉作動に応じて、貯留空間域Ａには容器本体１４の内容物（原液）がチューブ２３を通じて流入し（内容物流入径路Ｃ参照）、また、貯留空間域Ｂには外部空間域のエアが平板部８ｊの外縁端部と肩カバー体１７の内周面との隙間部分などを通じて流入し（エア流入径路Ｅ参照）、
(57)さらには、この貯留空間域Ａへの内容物流入にともなう容器本体１４の内部減圧防止用のエアが外部空間域から上記(1)の隙間部分やハウジング１６の横孔部１６ｂなどを通じて流入する（エア流入径路Ｇ参照）。
【００５３】
ここで、概略、貯留空間域Ａへの内容物（原液）流入および貯留空間域Ｂへのエア流入により当該貯留空間域それぞれの負圧状態が解消すると、内容物用吸込弁１８およびエア用吸込弁２０は、ともに自重作用で落下してそれぞれハウジング１６の弁受け部１６ａおよびプラットホーム部材８の弁受け部８ｂに当接し、閉状態となる。これにより、泡吐出式のポンプ機構の全体は図１および図２の静止モードへ復帰する。
【００５４】
図示の泡吐出式のポンプ機構の組立て作業手順は例えば、次のとおりである。
(61)エア用吸込弁２０を、プラットホーム部材８の弁受け部８ｂに阻止部８ｃの上方から組み込む。
(62)大径シリンダ本体部７およびその中に配した大径ピストン６，コイルスプリング２２の全体を、上記(61)の組込み後のプラットホーム部材８の上開口鞘状部８ａに嵌合状態でa取り付ける。
(63)エア用吐出弁２１が組み込まれた形のエア通過用筒状部材１１を、プラットホーム部材８の横筒状部８ｅおよび、（当該プラットホーム部材の開口部８ｈに入れた状態の）エア混合用筒状部材１０の横筒状部１０ａのそれぞれに、取り付ける。
(64)環状シール部材４を小径ピストン本体部３に取り付ける。
(65)上記(64)の取付け後の全体部材を小径シリンダ５に入れる。
(66)内容物用吐出弁１９が入れられた状態の内容物通過用筒状部材９を小径シリンダ５の横筒状部５ｂに取り付ける。
(67)上記(61)〜(66)の作業終了後、小径シリンダ５および内容物通過用筒状部材９を、プラットホーム部材８の縦孔部８ｇおよびエア混合用筒状部材１０の下端側筒状部にそれぞれの下方から取り付ける。
(68)次にメッシュ部１３が組み込まれたノズルピース１２を、エア混合用筒状部材１０の上側縦筒状部１０ｂにその上方から取り付ける。
(69)次にプラットホーム部材８を、肩カバー体１７にその上方から、平板部８ｊの下面縁部分が当該肩カバー体の各縦リブ状部１７ｂの上端部分または中間段部１７ｃに載置され、かつ、当該平板部の上面縁部分が当該肩カバー体の単一凸状部１７ｄに係合する形で、取り付ける。
(70)次にテコ部材２の取付け用孔部２ｃのそれぞれを、小径ピストン本体部３の円柱軸部３ｂにその上方から、当該テコ部材の支軸（支点）２ｂがノズルピース１２の横凹状部１２ａに入り込み、かつ、当該テコ部材の半球状部２ｆが大径ピストン６の窪み状部６ｂに当接する形で、取り付ける。
(71)次に操作ボタン１の鞘状垂下部１ａを、大径ピストン６の環溝状部６ａにその上方から、テコ部材２が当該操作ボタンの縦方向外切欠部１ｂおよび縦方向内切欠部１ｃのそれぞれに入り込む形で、取り付ける。
(72)内容物用吸込弁１８およびチューブ２３を、ハウジング１６の弁受け部１６ａおよび下端側筒状部にそれぞれ組み込む。
(73)上記(72)の組込み後のハウジング上端外縁部分を、ネジキャップ１５の天井面側内周面に嵌合状態で取り付ける。
(74)上記(73)の取付け後のネジキャップ１５を、容器本体１４の筒状起立部１４ｂに螺合状態で取り付ける。
(75)上記(71)の取付け後の肩カバー体１７および小径シリンダ５を、上記(74)の取付け後の容器本体１４およびハウジング１６に、当該肩カバー体の凸状部１７ａと当該容器本体の１４ａとが嵌合して、当該小径シリンダの縦筒状部５ａの下端側外周面と当該ハウジングの内周面とが嵌合する形で、取り付ける。
【００５５】
なお、段落〔００４１〕で示したＬ１，Ｌ２や、小径シリンダ５大径シリンダ本体部７に関する数字が単なる一例にすぎないことは勿論である。
【００５６】
操作ボタン１の操作力が加わるテコ部材２の上凸状部２ｅを、半球状部２ｆの図示左側の後方または、図示右側の前方（かつ取付け用孔部２ｃよりも後方）の位置に設定してもよい。
【００５７】
本発明が適用されるポンプ式製品は、ヘアスタイリング剤，ヘアトリートメント剤，染毛剤，育毛剤，洗浄剤，清掃剤，制汗剤，冷却剤，筋肉消炎剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５８】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００５９】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６０】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６１】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６２】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６３】
高分子化合物としては、メチルセルロース，ゼラチン，デンプン，カゼイン，ヒドロキシエチルセルロース，キサンタンガム，カルボキシビニルポリマーなどを用いる。
【００６４】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６５】
さらに、上記内容物以外の、懸濁剤，紫外線吸収剤，乳化剤，保湿剤，酸化防止剤、金属イオン封鎖剤なども用いることができる。
【符号の説明】
【００６６】
１：操作ボタン
１ａ：円筒状の鞘状垂下部
１ｂ：縦方向外切欠部
１ｃ：縦方向内切欠部
１ｄ：前後方向の板状垂下部
【００６７】
２：テコ部材
２ａ：曲片部
２ｂ：一対の支軸（支点）
２ｃ：一対の取付け用孔部
２ｄ：一対の側壁部
２ｅ：上凸状部
２ｆ：下向きの半球状部
【００６８】
３：内容物放出用の小径ピストン本体部(小径ピストンの構成要素）
３ａ：縦平板部
３ｂ：一対の円柱軸部
３ｃ：一対の直交縦リブ状部
３ｄ：鞘状部
【００６９】
４：環状シール部材(小径ピストンの構成要素）
４ａ：上下一対の小径スカート部
【００７０】
５：小径シリンダ
５ａ：内容物流入用の縦筒状部
５ｂ：内容物流出用の横筒状部
５ｃ：横方向凹状部
【００７１】
６：エア供給用の大径ピストン
６ａ：環溝状部
６ｂ：窪み状部
６ｃ：上下一対の大径スカート部
【００７２】
７：下開口の大径シリンダ本体部（大径シリンダの構成要素）
７ａ：大径縦筒状部
７ｂ：嵌合用の下向き環溝状部
【００７３】
８：平面全体の外縁が楕円形状のプラットホーム部材
８ａ：上開口鞘状部（大径シリンダの構成要素）
８ｂ：弁受け部
８ｃ：阻止部
８ｄ：上端側部分
８ｅ：エア流出用の横筒状部
８ｆ：小径縦筒状部
８ｇ：縦孔部
８ｈ：開口部
８ｊ：楕円外縁形状の平板部
【００７４】
９：Ｌ字状の内容物通過用筒状部材
９ａ：横起立片部（弾性片部）
【００７５】
１０：エア混合用筒状部材
１０ａ：エア流入用の横筒状部（図２，図４，図６参照）
１０ｂ：大径の上側縦筒状部
１０ｃ：環状鍔部
【００７６】
１１：Ｌ字状のエア通過用筒状部材
１２：ノズルピース
１２ａ：断面Ｔ字状の孔部分からなる案内部
１２ｂ：横凹状部
【００７７】
１３：泡生成用のメッシュ部
１４：容器本体
１４ａ：環凹状部
１４ｂ：筒状起立部
【００７８】
１５：ネジキャップ
１６：ハウジング
１６ａ：弁受け部
１６ｂ：容器本体減圧防止用の横孔部
【００７９】
１７：肩カバー体
１７ａ：計四個の凸状部
１７ｂ：計十一個の縦リブ状部（図２参照）
１７ｃ：計六個の各縦リブ状部の中間段部（図２参照）
１７ｄ：単一凸状部（図２参照）
【００８０】
１８：内容物用吸込弁（ボール弁）
１９：内容物用吐出弁（ボール弁）
２０：エア用吸込弁（ボール弁）
２１：エア用吐出弁（ボール弁）
２２：コイルスプリング
２３：チューブ
【００８１】
Ａ：は小径シリンダ５などにより設定される内容物の貯留空間域，
Ｂ：は大径シリンダ本体部７などにより設定されるエアの貯留空間域，
Ｃ：貯留空間域Ａへの内容物流入径路
Ｄ：貯留空間域Ａからの内容物流出径路
Ｅ：貯留空間域Ｂへのエア流入径路
Ｆ：貯留空間域Ｂからのエア流出径路
Ｇ：減圧防止用のエア流入径路
Ｌ１：テコ部材の支軸（支点）から小径ピストン本体部への作用点までの腕の長さ
Ｌ２：テコ部材の支軸（支点）から大径ピストンへの作用点までの腕の長さ
【図１】
0005630862.tif 000002
【図２】
0005630862.tif 000003
【図３】
0005630862.tif 000004
【図４】
0005630862.tif 000005
【図５】
0005630862.tif 000006
【図６】
0005630862.tif 000007